(57)【要約】【課題】携帯用端末機を提供する。【解決手段】上記携帯用端末機は、ディスプレーパネルと、上記ディスプレーパネルの少なくとも両側を囲むように設けられるケース部材と、上記ケース部材に形成され、上記ディスプレーパネルの少なくとも一側に開放されるスピーカーホールと、を含む。上記のように構成される携帯用端末機は、上記ケース部材の構造だけを変更することにより上記ディスプレーパネルの少なくとも一側に上記スピーカーホールを含み、これにより、スピーカー装置から出力される音の音量及び音質がディスプレーパネルを見ながら端末機を使用するユーザに十分に伝達されることができるようにする。【選択図】図６
2013090336.tif 000002
【特許請求の範囲】
【請求項１】
携帯用端末機であって、
ディスプレーパネルと、
前記ディスプレーパネルの少なくとも両側を囲むように設けられるケース部材と、
前記ケース部材に形成され、前記ディスプレーパネルの少なくとも一側に開放されるスピーカーホールと、
を有することを特徴とする携帯用端末機。
【請求項２】
前記ケース部材に組み込まれるスピーカーモジュールと、
前記スピーカーモジュールを囲むように設けられる導波路部材と、
前記導波路部材に形成されることにより前記スピーカーモジュールから出力される音を伝達する出力導波路と、をさらに有し、
前記出力導波路は、前記ディスプレーパネルと平行に延長されることにより前記スピーカーホールに接続されることを特徴とする請求項１に記載の携帯用端末機。
【請求項３】
前記ケース部材は、
前記ディスプレーパネルと向かい合う背面パネルと、
前記背面パネルの両側からそれぞれ延長されて互いに反対側に位置する側面リブと、を有し、
前記側面リブが前記ディスプレーパネルの両側をそれぞれ囲むように結合されることを特徴とする請求項１に記載の携帯用端末機。
【請求項４】
前記スピーカーホールは、
前記背面パネルと平行に前記側面リブのそれぞれの内側壁から延長される第１の導波路と、
前記第１の導波路に接続されて前記側面リブを介して延長される第２の導波路と、を有し、
前記第２の導波路が前記側面リブの上端で開放されることを特徴とする請求項３に記載の携帯用端末機。
【請求項５】
前記第１の導波路の幅は、出力導波路から離れるにしたがって徐々に減少し、前記第２の導波路の幅は、前記第１の導波路から離れるにしたがって徐々に増大することを特徴とする請求項４に記載の携帯用端末機。
【請求項６】
前記ケース部材に組み込まれるスピーカーモジュールと、
前記スピーカーモジュールを囲むように設けられる導波路部材と、
前記導波路部材に形成されて前記スピーカーモジュールから出力される音を伝達する出力導波路と、をさらに有し、
前記出力導波路は、前記ディスプレーパネルと平行に延長することにより前記出力導波路の端部が前記第１の導波路に接続されることを特徴とする請求項４に記載の携帯用端末機。
【請求項７】
前記第１の導波路の幅は、前記出力導波路から離れるにしたがって徐々に減少し、前記第２の導波路の幅は、前記第１の導波路から離れるにしたがって徐々に増大することを特徴とする請求項６に記載の携帯用端末機。
【請求項８】
携帯用端末機であって、
ディスプレーパネルと、
前記ディスプレーパネルの少なくとも両側を囲むように設けられるケース部材と、
前記ケース部材に形成され、前記ディスプレーパネルの少なくとも一側に開放されるスピーカーホールと、を有し、
前記スピーカーホールは、前記ディスプレーパネルを囲む側面リブの上端を介して音を出力することを特徴とする携帯用端末機。
【請求項９】
前記ケース部材に組み込まれたスピーカーモジュールと、
前記スピーカーモジュールを囲むように設けられる導波路部材と、
前記導波路部材に形成されて前記スピーカーモジュールから出力される音を伝達する出力導波路と、をさらに有し、
前記出力導波路は、前記ディスプレーパネルと平行に延長されて前記スピーカーホールを構成する第１の導波路に接続されることを特徴とする請求項８に記載の携帯用端末機。
【請求項１０】
前記ケース部材は、
前記ディスプレーパネルと向かい合う背面パネルと、
前記背面パネルの両側からそれぞれ延長されて互いに反対側に位置する側面リブと、を有し、
前記側面リブが前記ディスプレーパネルの両側をそれぞれ囲むように結合されることを特徴とする請求項８に記載の携帯用端末機。
【請求項１１】
前記スピーカーホールは、
前記背面パネルと平行に前記側面リブのそれぞれの内側壁から延長される第１の導波路と、
前記第１の導波路に接続されて前記側面リブを介して延長される第２の導波路と、を有し、
前記第２の導波路が前記側面リブの上端で開放されることを特徴とする請求項１０に記載の携帯用端末機。
【請求項１２】
前記第１の導波路の幅は、出力導波路から離れるにしたがって徐々に減少し、前記第２の導波路の幅は、前記第１の導波路から離れるにしたがって徐々に増大することを特徴とする請求項１１に記載の携帯用端末機。
【発明の詳細な説明】
【技術分野】
【０００１】
本発明は、携帯用端末機に関し、特に、音量及び音質の観点で音響品質が向上した構造の携帯用端末機に関する。
【背景技術】
【０００２】
通常、携帯用端末機は、ユーザが音声通話又はメッセージ送信のような通信機能を実行することができるようにし、各種情報の記憶、ゲーム、及び動画鑑賞のようなマルチメディアサービスを楽しむことができるようにする電子装置を意味する。このような携帯用端末機は、電子手帳、パームパソコン（palm personal computer：ＰＣ）、携帯用ゲームプレーヤー、動画／音楽ファイルプレーヤー、携帯電話機（cellular phone）、及びノート型パソコン（notebook PC）などのような様々な形態で製造されている。
【０００３】
最近では、携帯電話機のような移動通信端末機に電子手帳又はマルチメディア機能が搭載されつつあり、ユーザは、移動通信端末機を介して音声通話のような通信機能だけではなく、小売支払いのような銀行サービス、ゲーム／マルチメディアサービスなどのような様々なコンテンツを楽しむことができる。すなわち、移動通信端末機は、初期の段階では、単純に音声通話又はショートメッセージ送信サービスのみを提供した。しかしながら、電子／通信技術が発達して携帯用端末機が小型化され高集積化されるにしたがって、移動通信端末機は、自身の固有の通信機能だけでなく、ユーザがバンキングサービスを可能にする保安機能、ゲーム／動画などを楽しむことができるようにするマルチメディア機能、及びインターネット又はメール送受信を含む簡素な情報処理機能などを備えている。
【０００４】
携帯用端末機のマルチメディア機能が強調されるにつれて、音響品質も向上させる必要性がある。携帯性を保持し且つ向上させつつマルチメディア機能のためにディスプレーパネルを拡張するためには、携帯用端末機の厚さを減少させることが不可避である。したがって、音の出力のための開口部は、通常、端末機の側面又はディスプレーパネルが取り付けられる面の反対側に位置する端末機の背面上に位置する。
【０００５】
図１は、従来技術による携帯用端末機を示す図である。図２は、従来技術による携帯用端末機のケース部材の一部を拡大する斜視図である。図３は、従来技術による携帯用端末機の主要部分を示す断面図である。
【０００６】
図１乃至図３は、従来技術による携帯用端末機１０と携帯用端末機１０に設置されたスピーカー装置との構造を示す。携帯用端末機１０は、前面上のディスプレーパネル１１と、ディスプレーパネル１１のエッジを囲い、ディスプレーパネル１１の背面に向かい合うように備えられたケース部材１３と、を有する。ケース部材１３の内部には、携帯用端末機１０の動作のための各種回路装置（図示せず）及びバッテリーパック（図示せず）が組み込まれる。
【０００７】
さらに具体的に、携帯用端末機１０の側面には、ケース部材１３の少なくとも一側面にスピーカーホール１５が形成され、ケース部材１３の内側には、スピーカーモジュール（図示せず）が収容された導波路部材１７が取り付けられる。導波路部材１７は、スピーカーモジュールの出力音をスピーカーホール１５に伝達することにより、スピーカーモジュールから出力された音を携帯用端末機１０の側面を介して放射するようにする。
【０００８】
このように、従来技術による端末機において、通常、スピーカーホールは側面又は背面に備えられている。ユーザは、ディスプレーパネルを見ながら端末機を使用するが、音が携帯用端末機の側面又は背面を介して放射されるために、ユーザに十分に伝達されることができない問題点がある。さらに、音を出力するためのスピーカーホールが背面に形成された端末機を底面に配置させる場合に、スピーカーホールが底面に接しているために音量及び音質がかなり低下せざるを得ない。特に、タブレットＰＣのような携帯用端末機の場合に、ユーザが携帯用端末機を手に持って長時間使用することが難しいために、映画などを鑑賞する時には底面に置いて使用することが一般的である。この場合にも、音量及び音質が低下することを避けられない。
【０００９】
したがって、携帯用端末機の音量及び音質を改善するためのシステム及び方法が要求されている。
【先行技術文献】
【特許文献】
【００１０】
【特許文献１】韓国特許出願公開第２００７−０１１９４４８号明細書
【特許文献２】特許第３７６３５７０号公報
【発明の概要】
【発明が解決しようとする課題】
【００１１】
したがって、本発明は、上述した従来技術の問題点を解決するために提案されたものであり、その目的は、ユーザが携帯用端末機のディスプレーパネルを見ていても音量及び音質を低下することなくユーザに音を伝達することができる携帯用端末機を提供することにある。
【課題を解決するための手段】
【００１２】
上記のような目的を達成するために、本発明の実施形態の一態様によれば、携帯用端末機を提供する。上記携帯用端末機は、ディスプレーパネルと、上記ディスプレーパネルの少なくとも両側を囲むように設けられるケース部材と、上記ケース部材に形成され、上記ディスプレーパネルの少なくとも一側に開放されるスピーカーホールと、を有することを特徴とする。
【００１３】
上記携帯用端末機は、上記ケース部材に組み込まれるスピーカーモジュールと、上記スピーカーモジュールを囲むように設けられる導波路部材と、上記導波路部材に形成されることにより上記スピーカーモジュールから出力される音を伝達する出力導波路と、をさらに有し、上記出力導波路は、上記ディスプレーパネルと平行に延長されることにより上記スピーカーホールに接続されることを特徴とする。
【発明の効果】
【００１４】
本発明の実施形態による携帯用端末機は、ケース部材の構造のみを変更することによりディスプレーパネルの少なくとも一側にスピーカーホールを設け、これにより、スピーカー装置から出力される音をディスプレーパネルを見ながら端末機を使用するユーザに伝達される時に音量及び音質の損失を抑制することができる。また、スピーカーホールを形成するために導波路構造を使用し、これにより、スピーカーモジュールの露出を防止し、スピーカーホールの開口部の露出を最小化することにより端末機の外観を低下させることを抑制することができる。さらに、スピーカーモジュールから出力される音を音響導波路を介して伝達することができるので、スピーカーモジュールの設置位置を自由に設定することができるという長所を有する。
【００１５】
本発明の他の目的、効果、及び顕著な特徴は、添付図面が併用される本発明の実施形態を開示する後述の詳細な説明から、当業者にとって一層明らかになる。
【００１６】
図面中、同一の図面参照符号は、同一の構成要素、特性、及び構造を意味することが分かるはずである。
【図面の簡単な説明】
【００１７】
【図１】従来技術による携帯用端末機を示す図である。
【図２】従来技術による携帯用端末機のケース部材の一部を拡大する斜視図である。
【図３】従来技術による携帯用端末機の主要部分を示す断面図である。
【図４】本発明の望ましい実施形態による携帯用端末機を示す図である。
【図５】本発明の望ましい実施形態による携帯用端末機のケース部材の一部を拡大する図である。
【図６】本発明の望ましい実施形態による携帯用端末機の主要部分を示す断面図である。
【発明を実施するための形態】
【００１８】
添付の図面を参照した下記の説明は、特許請求の範囲の記載及びこれと均等なものの範囲内で定められるような本発明の実施形態の包括的な理解を助けるために提供されたものであり、この理解を助けるための様々な特定の詳細を含むが、ただ１つの実施形態にすぎない。したがって、本発明の範囲及び趣旨を逸脱することなく、ここに説明された実施形態の様々な変更及び修正が可能であるということは、当該技術分野における通常の知識を有する者には明らかである。また、明瞭性及び簡潔性の観点から、当業者に公知である機能や構成に関する具体的な説明は、省略する。
【００１９】
次の説明及び請求項に使用される用語及び単語は、辞典的意味に限定されるものではなく、発明者により本発明の理解を明確にかつ一貫性のあるようにするために使用される。したがって、本発明は特許請求の範囲とこれと均等なものに基づいて定義されるもので、本発明の実施形態の説明がただ実例を提供するためのもので、本発明の目的を限定するものでないことは、本発明の技術分野における通常の知識を有する者には明らかである。
【００２０】
図４は、本発明の望ましい実施形態による携帯用端末機を示す図である。図５は、本発明の望ましい実施形態による携帯用端末機のケース部材の一部を拡大する図である。図６は、本発明の望ましい実施形態による携帯用端末機の主要部分を示す断面図である。
【００２１】
図４乃至図６を参照すると、ディスプレーパネル１１１は、携帯用端末機１００の前面に取り付けられ、各種回路装置（図示せず）及びバッテリーパック（図示せず）は、ディスプレーパネル１１１の少なくとも両側面を囲むように結合されるケース部材１０２の内側に組み込まれる。このとき、ディスプレーパネル１１１の少なくとも一側には、スピーカーホール１１５がケース部材１０２の一側面に開口するように形成されている。スピーカーホール１１５は、ケース部材１０２の側面に沿う長円状に形成されている。
【００２２】
ディスプレーパネル１１１は、液晶ディスプレー（ＬＣＤ）素子、発光ダイオード（ＬＥＤ）素子、有機発光ダイオード（ＯＬＥＤ）素子などを使用して製造されて画像を出力する。画像の出力に加えて、ディスプレーパネル１１１は、タッチパネルを装着することにより入力装置としても使用されることができる。例えば、減圧式タッチパネル又は静電容量式タッチパネルをディスプレー素子の前面に取り付けることにより、ディスプレーパネル１１１は、タッチスクリーンとして使用される。
【００２３】
ケース部材１０２は、実質的に携帯用端末機１００のハウジングを構成し、ディスプレーパネル１１１は、ケース部材１０２の前面に装着される。ケース部材１０２は、ディスプレーパネル１１１の背面から離間した状態で向かい合う背面パネル１２１と、背面パネル１２１の両側からそれぞれ延長されて互いに反対側に位置する側面リブ１２３と、を含む。好ましくは、側面リブ１２３は、背面パネル１２１の全エッジから延長されることによりディスプレーパネル１１１の周囲を囲む。側面リブ１２３は、ディスプレーパネル１１１の両側のエッジを囲むように結合され、これにより、ディスプレーパネル１１１がケース部材１０２に固定される。
【００２４】
ケース部材１０２の内側には、スピーカーモジュール１０３が収容された導波路部材１１７が設置される。スピーカーモジュール１０３は、振動板及びボイスコイルを用いて音を発生させ、この発生した音を導波路部材１１７に形成された出力導波路１１９を介して出力する。導波路部材１１７は、シリコン、ウレタンのような弾性材質又は剛性を有する合成樹脂で作られる。出力導波路１１９は、ディスプレーパネル１１１及び背面パネル１２１と平行に延長し、導波路部材１１７の一側で開放される。スピーカーモジュール１０３がケース部材１０２の内側に設置される場合に、出力導波路１１９は、ディスプレーパネル１１１と平行に延長されるように配置される。
【００２５】
スピーカーホール１１５は、第１の導波路１１５ａ及び第２の導波路１１５ｂを含む。第１の導波路１１５ａは、側面リブ１２３の内側壁から背面パネル１２１と平行に延長される。導波路部材１１７の出力導波路１１９は、側面リブ１２３の内側壁で第１の導波路１１５ａに接続される。結果的に、第１の導波路１１５ａは、導波路部材１１７とは個別に形成されるが、導波路部材１１７と接続され、これにより、実質的に出力導波路１１９を延長する。第２の導波路１１５ｂは、側面リブ１２３の伸張方向に沿って第１の導波路１１５ａから延長され、側面リブ１２３の上端で開放される。したがって、ディスプレーパネル１１１がケース部材１０２に結合されると、スピーカーホール１１５は、ディスプレーパネル１１１の少なくとも一側又はディスプレーパネル１１１の両側にそれぞれ位置する。なお、第１の導波路１１５ａの幅は、出力導波路１１９から離れるにしたがって徐々に減少し、第２の導波路１１５ｂの幅は、第１の導波路１１５ａから離れるにしたがって徐々に増大する。
【００２６】
したがって、スピーカーモジュール１０３から発生した音は、出力導波路１１９、第１の導波路１１５ａ、及び第２の導波路１１５ｂを順次に伝達され、最終的にディスプレーパネル１１１の少なくとも一側又はディスプレーパネル１１１の両側を介してそれぞれ出力される。
【００２７】
その結果、ユーザは、携帯用端末機１００が載せられた位置に無関係に、ディスプレーパネル１１１を見る時にも音量又は音質が低下しない音を聴取することができる。
【００２８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００２９】
１００  携帯用端末機、１０２  ケース部材、１０３  スピーカーモジュール、１１１  ディスプレーパネル、１１５  スピーカーホール、１１５ａ  第１の導波路、１１５ｂ  第２の導波路、１１７  導波路部材、１１９  出力導波路、１２１  背面パネル、１２３  側面リブ
【図１】
2013090336.tif 000003
【図２】
2013090336.tif 000004
【図３】
2013090336.tif 000005
【図４】
2013090336.tif 000006
【図５】
2013090336.tif 000007
【図６】
2013090336.tif 000008